(57)【要約】  動画をスマートフォンにダウンロードするときの、制限されたバックホール容量および制限されたワイヤレスチャネル容量の問題を克服するために、モバイル通信ネットワークを介してデータを伝送する方法は、各スマートフォンまたは他のユーザ局Ｕａ−Ｕｄにメモリキャッシュ（１２）およびダウンロードアプリ（１０）を備えるステップと、コアネットワーク内のサーバ（２）にサーバキャッシュメモリ（１６）およびダウンロード制御アプリ（１４）を備えるステップとを含む。各ユーザがサーバに登録し、サーバは、ダウンロードがそこから行われうるユーザによりアクセスされたインターネットウェブサイトＵＲＬｎの情報を集め、ウェブサイトを監視し、ウェブサイト上に更新が現れる限り、更新をサーバキャッシュに選択的にダウンロードする。次いで、ユーザのメモリキャッシュ（１２）に更新をダウンロードするために、サーバから、基地局（３）を介して、ユーザへの共通データチャネルが確立される。
2015519786.tif 000002
【特許請求の範囲】
【請求項１】
複数のユーザ局（Ｕａ−Ｕｄ）と複数のセル局（３）と中心ネットワーク（１、２）とを備えるモバイル通信ネットワークを介してデータを伝送する方法であって、
各ユーザ局がユーザメモリ記憶手段（１２）を含み、中心ネットワークが、サーバメモリ記憶手段（１６）を含むサーバ手段（２、１４）を含み、
方法が、各ユーザ局を前記サーバ手段に登録するステップを含み、
前記サーバ手段が、ダウンロードがそこから行われうるユーザ局によりアクセスされたインターネットウェブサイト（ＵＲＬｎ）の表示を各ユーザ局から得、
前記サーバ手段が前記ウェブサイトを監視して、新しいデータ項目が前記ウェブサイト上に現れる限り、前記データ項目を前記サーバメモリ記憶手段内に選択的に記憶し、
選択されたデータ項目を各前記ユーザ局のユーザメモリ記憶手段にダウンロードするために、前記サーバ手段から前記セル局を介して前記ユーザ局への共通データチャネル（１８）を確立するステップを含む、
方法。
【請求項２】
前記セル局と前記ユーザ局の間のエアインターフェイスにおいて、前記共通データチャネルが、各セル局のセルの領域内の全てのユーザ局に前記データ項目をブロードキャストするために共通ブロードキャストチャネル（１８）を備える、請求項１に記載の方法。
【請求項３】
前記サーバ手段が、登録されたユーザ局がアタッチされるセル局にのみ前記共通データチャネルを確立するように構築される、請求項１または２に記載の方法。
【請求項４】
前記サーバ手段が、ＭＢＭＳプロトコルによって前記共通データチャネルを確立する、請求項１から３のいずれか一項に記載の方法。
【請求項５】
前記サーバ手段が、１つまたは複数の選択されたウェブページを記憶し、選択されたウェブページのウェブサイト上に新しいデータ項目が現れる限り、記憶されたウェブページを新しいデータ項目で更新する、請求項１から４のいずれか一項に記載の方法。
【請求項６】
複数のユーザ局（Ｕａ−Ｕｄ）と複数のセル局（３）と中心ネットワーク（１、２）とを備えるモバイル通信ネットワークを介してデータを伝送する装置であって、
各ユーザ局が、登録およびダウンロード手段（１０）と、ユーザメモリ記憶手段（１２）とを含み、
中心ネットワークが、前記ユーザ局と通信するように構成されておりサーバメモリ記憶手段（１６）を含むサーバ手段（２）を含み、
前記サーバ手段が、前記ユーザ局を登録するためのダウンロード制御手段（１４）を有し、ダウンロードがそこから行われうるユーザ局によりアクセスされたインターネットウェブサイト（ＵＲＬｎ）の表示を各ユーザ局から得、
前記サーバダウンロード制御手段が、前記ウェブサイトを監視するように構成され、新しいデータ項目が前記ウェブサイト上に現れる限り、前記データ項目を前記サーバメモリ記憶手段内に選択的に記憶し、
前記サーバメモリ記憶手段に記憶されたデータ項目を各前記ユーザ局のメモリ記憶手段に選択的にダウンロードするために、前記サーバダウンロード制御手段が、前記セル局を介して前記ユーザ局へと、前記サーバ手段間の共通データチャネル（１８）を確立するように構成される、
装置。
【請求項７】
前記セル局と前記ユーザ局の間のエアインターフェイスにおいて、前記共通データチャネルが、各セル局のセルの領域内の全てのユーザ局に前記データ項目をブロードキャストするために共通ブロードキャストチャネル（１８）を備える、請求項６に記載の装置。
【請求項８】
前記サーバ手段が、登録されたユーザ局がアタッチされるセル局にのみ前記共通データチャネルを確立するように構築される、請求項６または７に記載の装置。
【請求項９】
前記サーバ手段が、ＭＢＭＳプロトコルによって前記共通データチャネルを確立する、請求項６から８のいずれか一項に記載の装置。
【請求項１０】
前記サーバ手段が、１つまたは複数の選択されたウェブページを記憶し、選択されたウェブページのウェブサイト上に新しいデータ項目が現れる限り、記憶されたウェブページを新しいデータ項目で更新するように構成される、請求項６から９のいずれか一項に記載の装置。
【発明の詳細な説明】
【技術分野】
【０００１】
本発明は、モバイル通信システムにおけるデータ伝送流量を改善する手段および方法に関する。
【背景技術】
【０００２】
スマートフォンの人気が上昇するにつれ、モバイルフォンによるインターネットデータアクセスの量は、いわゆる「ワイヤレスデータ爆発」を経験している。スマートフォンは、一般的に、モバイルコンピューティングプラットフォーム上に構築され、モバイルオペレーティングシステムを含み、高度なコンピューティング能力および接続性を備えるモバイルフォンと考えられており、携帯型メディアプレーヤおよびＧＰＳナビゲーションユニットなどの機能を含む。スマートフォンは、典型的には、ウェブブラウザを含み、Ｗｉ−Ｆｉおよびモバイルブロードバンドを介して、高速データアクセスを行う。現在のスマートフォンにより使用される最も一般的なモバイルオペレーティングシステム（ＯＳ）は、例えば、ＡｐｐｌｅのｉＯＳ、ＧｏｏｇｌｅのＡｎｄｒｏｉｄ、ＭｉｃｒｏｓｏｆｔのＷｉｎｄｏｗｓ(登録商標)  Ｐｈｏｎｅ、ＮｏｋｉａのＳｙｍｂｉａｎ、ＲＩＭのＢｌａｃｋＢｅｒｒｙ  ＯＳを含む。オペレーティングシステムは、ある特定の機能を実行するソフトウェアアプリケーションであり、予めインストール済みの、またはユーザにより「アプリ  ストア」からダウンロードされる「アプリ」をサポートする。
【０００３】
多くの大きな電気通信事業者のモバイル（スマート）フォンユーザが接続性の問題を経験していることは、一般的に知られていることである。このことの２つの主な理由は、（１）ワイヤレス基地局とコアネットワークの間のバックホールネットワーク容量が制限されること、（２）基地局アンテナからモバイルフォンへのワイヤレスチャネルの容量が、モバイルフォンにより要求されるデータの量を取り扱うには十分でないことである。
【０００４】
キャッシュを実装することにより、制限されたバックホール容量の問題に対処することが知られている。例えば企業のネットワークといった、固定されたネットワークでは、ＨＴＭＬページおよび画像などの、ウェブ文書の一時記憶（キャッシング）のためのメカニズムであるウェブキャッシングは、一般的にプロキシサーバで実行される。プロキシサーバは、次いで、プロキシサーバ容量、地理的位置などに基づいて、企業ユーザのグループに使用される。ウェブキャッシングは、キャッシュが基地局に（すなわち、アンテナサイトに）あってよい、モバイルシステムに拡張されうる。しかし、欠点は、システムの多数の基地局にキャッシングサーバがインストールされなければならず、このことは、インストールするコストおよび時間の両方の観点から、共に費用がかかることである。代替として、プロキシサーバは、基地局内に配置されなくてよく、しかしモバイルシステムのコアネットワーク内に配置されてよく、複数の基地局を介して複数のハンドセットをサービスしうる。しかし、これは、無線チャネルを効果的に使用しない。というのは、各ハンドセットは、プロキシサーバからデータを取得するのに専用の無線チャネルを使用するからである。
【０００５】
基地局とモバイルハンドセットの間のエアインターフェイス内の、制限されたワイヤレスチャネル容量の問題に関して、モバイルネットワークで利用可能なブロードキャストの特徴があるが、これは通常、ＴＶのようなブロードキャスト用にのみ採用される。ここで、あるコンテンツチャネルを視聴することを希望する全てのユーザは、ストリーミング済みチャネルに接続することができる。動画などのリアルタイムデータのストリーミングアプリケーションへの提案は、選択されたユーザが、３ＧＰＰにより規定された標準である、例えば、マルチメディアブロードキャストマルチキャストサービス（ＭＢＭＳ）といったサービスに加入する、マルチキャストである。ストリーミングサービスは、ワイヤレスインターフェイスを介して伝送されるが、サービスに加入したユーザのみが、伝送されるリアルタイムデータを視聴することが許可される。短所は、このマルチキャスト法は、ユーザが現在の動画に加わって見る必要がある、動画などのリアルタイムデータ用に設計されていることである。
【発明の概要】
【課題を解決するための手段】
【０００６】
本発明は、第１の態様で、複数のユーザ局と複数のセル局と中心ネットワークとを備えるモバイル通信ネットワークを介してデータを伝送する方法であって、
前記ユーザ局の各々がユーザメモリ記憶手段を含み、中心ネットワークが、サーバメモリ記憶手段を含むサーバ手段を含み、
方法が、各前記ユーザ局を前記サーバ手段に登録するステップを含み、
前記サーバ手段が、ダウンロードがそこから行われうるユーザ局によりアクセスされたインターネットウェブサイトの表示を各登録されたユーザ局から得、
前記サーバ手段が前記ウェブサイトを監視して、新しいデータ項目が前記ウェブサイト上に現れる限り、前記データ項目を前記サーバメモリ記憶手段内に選択的に記憶し、
選択されたデータ項目を各前記ユーザ局のユーザメモリ記憶手段にダウンロードするために、前記サーバ手段から前記セル局を介して前記ユーザ局への共通データチャネルを確立するステップを含む、
方法を提供する。
【０００７】
本発明は、第２の態様で、複数のユーザ局と複数のセル局と中心ネットワークとを備えるモバイル通信ネットワークを介してデータを伝送する装置であって、
各ユーザ局が、登録およびダウンロード手段と、ユーザメモリ記憶手段とを含み、
中心ネットワークが、前記ユーザ局と通信するように構成されておりサーバメモリ記憶手段を含むサーバ手段を含み、
前記サーバ手段が、前記ユーザ局を登録するためのダウンロード制御手段を有し、ダウンロードがそこから行われうるユーザ局によりアクセスされたインターネットウェブサイトの表示を各ユーザ局から得、
前記サーバダウンロード制御手段が、前記ウェブサイトを監視するように構成され、新しいデータ項目が前記ウェブサイト上に現れる限り、前記データ項目を前記サーバメモリ記憶手段内に選択的に記憶し、
前記サーバメモリ記憶手段に記憶されたデータ項目を各前記ユーザ局のメモリ記憶手段に選択的にダウンロードするために、前記サーバダウンロード制御手段が、前記セル局を介して前記ユーザ局へと、前記サーバ手段間の共通データチャネルを確立するように構成される、
装置を提供する。
【０００８】
上に記載したような方法および装置は、マルチキャスト機能が単一ソースからのデータを多数の登録されたユーザ局に提供し、データが非ストリーミングベースで提供され、すなわち、データが伝送データチャネル上で利用可能であるときのみならず、ユーザが要求する限りデータがアクセスされうるという点で、非ストリーミングマルチキャストアプリケーションを提供する。
【０００９】
本発明の実施形態は、ＧＳＭ(登録商標)などの２Ｇシステム、ＵＭＴＳなどの３Ｇシステム、およびＬＴＥなどの４Ｇシステムを含む、データ伝送をサポートする、全ての既存または提案されるモバイル通信システムに適用可能である。
【００１０】
本明細書では、用語「ユーザ局」は、モバイル局、ハンドセット、ユーザ機器、タブレット、モバイルドングル、およびモバイルシステムのセル間を移動しうる全てのそのような局をカバーすることが意図される。本発明の実施形態では、複数のユーザ局が設けられ、前記サーバ手段に登録されるが、そのように加入しない他のユーザ局が存在しうることが理解されよう。
【００１１】
用語「セル局」は、本明細書では、基地局、Ｎｏｄｅ  Ｂ（ＮＢ）、ｅＮｏｄｅ  Ｂ（ｅＮＢ）、およびモバイルネットワークの無線セルを規定する他の無線伝送局をカバーすることが意図される。本発明の実施形態では、複数のセル局が設けられるが、任意の特定の場合では、前記ユーザ局のうちの１つまたは複数がそのセルに配置されるセル局からのみデータを伝送することが必要でありうることを理解されたい。
【００１２】
用語「中心ネットワーク」は、本明細書において、前記ユーザ局および前記セル局と異なる、モバイルシステムの残りの部分をカバーすることが意図されており、インターネット（およびＰＳＤＮなど他のネットワーク）とインターフェイスを行い、（ａ）ＵＭＴＳシステム用に、コアネットワーク（ＣＮ）および無線ネットワークコントローラ（ＲＮＣ）、（ｂ）ＧＳＭ用に、基地局コントローラ（ＢＳＣ）ならびにネットワークおよびスイッチングサブシステム（ＮＳＳ）ならびにモバイルサービススイッチングセンタ（ＭＳＣ）、（ｃ）ＬＴＥ用に、サービングゲートウェイ（ＳＧＷ）、モビリティマネジメントエンティティ（ＭＭＥ）、およびパケットデータネットワークゲートウェイ（ＰＤＮ  ＧＷ）（ＬＴＥでは、無線アクセスネットワークは各ｅＮＢ内に含まれる）を含む。
【００１３】
本発明の実施形態では、前記共通データチャネルは、より低レベルのトランスポートおよび物理チャネルではなく、ネットワーク層の高レベルチャネルである。各前記セル局と前記ユーザ局の間のエアインターフェイスにおいて、前記共通データチャネルは、共通ブロードキャストチャネルを備え、そのため、前記データ項目は、セル局のセル内の全てのユーザ局に伝送される。そのような共通ブロードキャストチャネルは、「ブロードキャスト」という名前を持ついくつかのモバイルシステムのより低レベルのチャネルとは区別されるべきである。
【００１４】
データ項目を前記ユーザ局に伝送することが求められると前記共通データチャネルが確立され、伝送が完了するとチャネルが閉じられる。伝送は、ネットワーク使用の減少した時間期間に実行されうる。
【００１５】
実施形態では、ユーザが、キャッシングサービスに加入して、ハンドセットにアプリをインストールする。ユーザのハンドセット上のアプリは、中心（コア）ネットワーク内のサーバに登録する。コアネットワークのサーバは、ユーザおよびユーザ間で共有された共通ウェブサイトを追跡する。共通ウェブサイト内のデータに更新（例えば、トップ２５のリストに入ることを意味する、バイラル（ｖｉｒａｌ）となる新しいＹｏｕＴｕｂｅ(登録商標)の動画）があると、サーバは、（トランスポートチャネルまたは物理チャネルではなく、高レベル論理チャネルである）共通データチャネルを設定して、データをデータチャネル上で伝送し、そのウェブサイトへの全ての加入ユーザは、単一のデータチャネルからデータを取り、それをローカルにキャッシュすることになる。次いで、あるユーザが、彼のハンドセットでそのウェブサイトを立ち上げると、データは、アプリによりキャッシュされたデータからブラウザにロードされることになる。このやり方では、（固定コアネットワークおよびワイヤレスネットワークの両方で）複数のトランスポートチャネルの代わりに、単一のデータチャネルが使用される。したがって、固定コアネットワークおよびワイヤレスチャネル上で、より少ない容量が使用される。
【００１６】
これは、ユーザ体験を実際に増加もさせる。なぜならば、あるユーザが例えばある人気のあるＹｏｕＴｕｂｅの動画にアクセスしたいとき、データは、既にモバイル端末上でローカルに利用可能であり、そのため、世界的な待ち時間なしですぐにデータが開始するからである。
【００１７】
本発明の実施形態は、ここで、添付の図面を参照し、例としてのみ記載されることになる。
【図面の簡単な説明】
【００１８】
【図１】モバイルユーザハンドセットにデータを配信する知られている方法の構成を示す図である。
【図２】モバイルフォンシステムの構成を示し、本発明の実施形態を組み込む図である。
【図３】図２の実施形態の動作方法の概略流れ図である。
【図４】本発明の実施形態を実装するために採用されるＭＢＭＳアーキテクチャの概略図である。
【発明を実施するための形態】
【００１９】
図１を参照すると、これは、この例では人気のあるニュースウェブサイトであるインターネットウェブサイトＵＲＬｎにアクセスするユーザ局Ｕａ、Ｕｂ、Ｕｃ、Ｕｄの知られている方法を図示している。モバイルシステムの中心ネットワークは、（例えば、ＬＴＥ用にＰＤＮＧＷ、ＵＭＴＳ用にＧＧＳＮ、ＧＳＭ用にＧＧＳＮといった）インターネットへのゲートウェイコネクタ１、およびルータまたはネットワークスイッチを備えるノード２を含む。セル局３は、採用されるモバイルシステムに適した無線アンテナおよび基地局機能を含む（例えば、ＬＴＥ用ｅＮＢは、完全な無線アクセスネットワーク機能性を含む）。ＵＲＬｎを視聴するための知られている手順は、各ユーザが、ゲートウェイコネクタ１に個別のソケット接続を設定し（「ソケット接続」は、インターネットへの接続をするための知られているメカニズムであり、ローカルＩＰアドレス、リモートＩＰアドレス、および例えばＴＣＰ、ＳＴＣＰで使用されるプロトコルの指定を含む）、各ユーザが動画を含みうる適したウェブページをダウンロードする。
【００２０】
したがって、この手順では、中心ネットワークおよびモバイルシステムのワイヤレスインターフェイスにわたって、４つの独立したデータ接続が確立される。特に、動画をダウンロードすることが必要な場合、これは、バックホール容量およびワイヤレスリンク容量の観点から、明らかに費用がかかることになりうる。
【００２１】
ここで図２を参照すると、これは、本発明の実施形態を図示しており、図１のものと同様の部分は、同じ参照番号により示される。各ユーザ局Ｕａ、Ｕｂ、Ｕｃ、Ｕｄは、アプリ１０、およびアプリ用に確保されたメモリキャッシュ１２を含む。ネットワークノード２は、非ストリーミングマルチキャストサーバアプリである、サーバダウンロード制御アプリ１４、およびアプリ１４用に確保されたメモリキャッシュ１６を有するサーバを含む。
【００２２】
この実施形態の手順は、システムオペレータが最初に、サーバノード２内にアプリ１４をインストールし、キャッシュ１６内に適した量のメモリを確保することである。クライアントアプリ１０は、販売前、または後でユーザによりアプリ「ストア」からダウンロードすることのいずれかで、ハンドセットにインストールされる。次いで、各ユーザは、アプリ内に存在する登録手順を採用してダウンロードサービスに登録し、全ての必要な手続き、識別、支払いなどを完了させることになる。そのとき、または後で、ユーザは、ユーザが関心を有する１つまたは複数のウェブサイトでクライアントアプリ１０を構築し、クライアントアプリ１０は、新しいダウンロード可能なファイルとして、動画もしくは他のマルチメディアファイル、またはデータファイルの形で、時々更新および改訂を続けうる（傾向としては、ユーザの多数が、ローカルニュースサイトなどの同様のサイトにしばしばアクセスする。）。
【００２３】
サーバアプリ１４は、追加で、加入ユーザにより実行されるインターネットトランザクションを監視してよく、各ユーザ用にサーバアプリにより維持される、興味を有するサイトのリストに、頻繁にアクセスされるサイトを追加してよい。サーバアプリは、各ユーザによりアクセスされる各サイト用に機能してよく、またはユーザの最小数よりも多くによりアクセスされるそれらのサイトのサブセットにのみ機能してよい。任意のイベントで、サーバアプリは、リスト化されたウェブサイトを見直すように機能する。ウェブサイトに更新または改訂が現れ、例えばニュースウェブサイトの場合、新しい「ヘッドライン」項目または新しいスポーツのレポート、ＹｏｕＴｕｂｅの場合、新しいビデオクリップが「バイラル」になる（それは、ある多数のユーザがクリップを視聴したことである）といった、ある要件を満たすと、サーバは、例えば新しいウェブページまたはウェブページからのデータ項目の形で、このデータをダウンロードすることになる。いくつかの場合、ウェブページは、サーバメモリキャッシュ１６にダウンロードされてよく、更新がウェブサイト上に現れる限り、更新項目がキャッシュされたウェブページにダウンロードされうる。
【００２４】
したがって、図３に示されるように、動作では、ユーザ登録の後に、サーバアプリ１４が監視されたウェブサイトから更新をダウンロードし、そのキャッシュ１６内に更新を記憶する。これは、ウェブサイトとサーバ間の、標準的なポイントツーポイントソケット接続を確立することにより行われうる。
【００２５】
キャッシュ１６が更新されるときはいつでも、またはキャッシュ１６が更新データの所定の量を受信すると、サーバアプリ１４は、サービスに加入しているハンドセット、およびどのセル局にハンドセットが配置されているのかを識別し、ハンドセットが配置されるシステムのそれらの部分に共通データチャネル（マルチキャストチャネル）を設定する。次いで、サーバアプリ１４は、ノード２とセル局３の間の中心ネットワークの有線接続、および局３とハンドセットＵａ−Ｕｄの間のワイヤレス接続の両方で、共通データチャネルを使用して、ハンドセットに更新データを転送する。これは、ネットワークの使用が減少される、ピークをはずれた場合に行われうる。局３とハンドセットＵａなどの間のデータ接続は、ブロードキャストチャネル１８によって実装される。このブロードキャストチャネルは、セル局の領域内の全てのセルにブロードキャストする高レベル論理チャネルである。このブロードキャストチャネルは、適したトランスポートおよび物理層チャネル上にマッピングしうる。しかし、データサービスに登録されたハンドセットのみが、データをダウンロード可能にされることになる。いわゆるブロードキャストチャネルは、一般的にはストリーミングデータについてのみ使用される（ストリーミングデータを用いると、ハンドセットは、任意の時にデータストリームに加わり、または離れることが可能であるが、ハンドセットは、現在チャネル上のデータをアクセスすることのみ可能であり、このことは、全てのユーザが同時に同じプログラムを見るＴＶ放送に好都合である）。
【００２６】
１つの実施形態では、共通データチャネルは、通常、ＬＴＥシステム内に存在する、ＭＢＭＳプロトコル（例えば、３ＧＰＰ  ＴＳ  ２３．２４６を参照）によって実装される。例えば、３ＧＰＰ  ＴＳ  ３６．３００を参照。図４は、ＭＢＭＳシステムのアーキテクチャを示す。この実施形態では、サーバアプリ１４は、ｅＭＢＭ−ＳＣユニットおよびＥ−ＭＢＭＳゲートウェイの機能を果たす、または部分を形成する。データ伝送は、ＭＢＭＳ規格ではＭＴＣＨ論理チャネルと呼ばれる、データチャネルによって、ｅＢＭ  ＳＣから各ユーザ局Ｕａ−Ｕｄに直接行う。本実施形態では、これは、ｅＮＢにより決定されたように、適したトランスポートおよび物理チャネル上にマッピングする。
【００２７】
ハンドセット内のクライアントアプリは、ブロードキャストチャネル上のデータを受信すると、それぞれのキャッシュ１２にデータを記憶する。ハンドセットのユーザが、適したウェブサイトへのアクセスを要求すると、モバイルシステムのデータネットワークを介して、インターネットのウェブサイトからウェブページをダウンロードする以前の方法ではなく、アプリ１０は、要求を遮断し、ローカルキャッシュ内のデータが表示される。それによって、視聴時のワイヤレスデータチャネルの使用を節約し、バックホール帯域幅を節約する。
【００２８】
説明および図面は、単に、本発明の原理を示している。したがって、当業者は、本明細書に明示的に記載または示されていないが、本発明の原理を具現化し、本発明の精神および範囲に含まれる、様々な構成を考案することが可能になることを理解されたい。さらに、本明細書に記載された全ての例は、主に、技術の促進のため、読者が本発明の原理および発明者によって与えられた概念を理解することを助ける教育上の目的のためにのみ明確に意図され、そのような具体的に記載された例および条件に限定されることのないものであるとして解釈されるべきである。さらに、本発明の原理、態様、および実施形態ならびにそれらの具体的な例を記載した本明細書中の全ての記述は、それらの均等物を包含することを意図される。
【図１】
2015519786.tif 000003
【図２】
2015519786.tif 000004
【図３】
2015519786.tif 000005
【図４】
2015519786.tif 000006
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
複数のユーザ局（Ｕａ−Ｕｄ）と複数のセル局（３）と中心ネットワーク（１、２）とを備えるモバイルセルラー通信ネットワークを介してデータを伝送する方法であって、
各ユーザ局がユーザメモリ記憶手段（１２）を含み、中心ネットワークが、サーバメモリ記憶手段（１６）を含むサーバ手段（２、１４）を含み、
方法が、各ユーザ局を前記サーバ手段に登録するステップを含み、
前記サーバ手段が、各ユーザ局の記録を維持し、ダウンロードがそこから行われうるユーザ局によりアクセスされたインターネットウェブサイト（ＵＲＬｎ）の各ユーザ局用のリストを維持し、
前記サーバ手段が、前記ウェブサイトを監視して、新しいデータ項目が前記ウェブサイト上に現れる限り、前記データ項目を前記サーバメモリ記憶手段内に選択的に記憶し、
ユーザがその後に前記データ項目へのアクセスを要求すると、前記ユーザメモリ記憶手段に記憶された対応するデータ項目にユーザが導かれるように、選択された前記データ項目を各前記ユーザ局のユーザメモリ記憶手段にダウンロードするために、前記サーバ手段から前記セル局を介して前記ユーザ局への共通データチャネル（１８）を選択的に確立するステップを含む、
方法。
【請求項２】
前記セル局と前記ユーザ局の間のエアインターフェイスにおいて、前記共通データチャネルが、各セル局のセルの領域内の全てのユーザ局に前記データ項目をブロードキャストするために共通ブロードキャストチャネル（１８）を備える、請求項１に記載の方法。
【請求項３】
前記サーバ手段が、登録されたユーザ局がアタッチされるセル局にのみ前記共通データチャネルを確立するように構築される、請求項１または２に記載の方法。
【請求項４】
前記サーバ手段が、ＭＢＭＳプロトコルによって前記共通データチャネルを確立する、請求項１から３のいずれか一項に記載の方法。
【請求項５】
前記サーバ手段が、１つまたは複数の選択されたウェブページを記憶し、選択されたウェブページのウェブサイト上に新しいデータ項目が現れる限り、記憶されたウェブページを新しいデータ項目で更新する、請求項１から４のいずれか一項に記載の方法。
【請求項６】
複数のユーザ局（Ｕａ−Ｕｄ）と複数のセル局（３）と中心ネットワーク（１、２）とを備えるモバイルセルラー通信ネットワークを介してデータを伝送する装置であって、
各ユーザ局が、登録およびダウンロード手段（１０）と、ユーザメモリ記憶手段（１２）とを含み、
中心ネットワークが、前記ユーザ局と通信するように構成されておりサーバメモリ記憶手段（１６）を含むサーバ手段（２）を含み、
前記サーバ手段が、前記ユーザ局を登録するためのダウンロード制御手段（１４）を有し、各ユーザ局の記録を維持し、ダウンロードがそこから行われうるユーザ局によりアクセスされたインターネットウェブサイト（ＵＲＬｎ）の各ユーザ局用のリストを維持し、
前記サーバダウンロード制御手段が、前記ウェブサイトを監視するように構成され、新しいデータ項目が前記ウェブサイト上に現れる限り、前記データ項目を前記サーバメモリ記憶手段内に選択的に記憶し、
ユーザがその後に前記データ項目へのアクセスを要求すると、前記ユーザメモリ記憶手段に記憶された対応するデータ項目にユーザが導かれるように、前記サーバメモリ記憶手段に記憶されたデータ項目を各前記ユーザ局のメモリ記憶手段に選択的にダウンロードするために、前記サーバダウンロード制御手段が、前記セル局を介して前記ユーザ局へと、前記サーバ手段間の共通データチャネル（１８）を選択的に確立するように構成される、
装置。
【請求項７】
前記セル局と前記ユーザ局の間のエアインターフェイスにおいて、前記共通データチャネルが、各セル局のセルの領域内の全てのユーザ局に前記データ項目をブロードキャストするために共通ブロードキャストチャネル（１８）を備える、請求項６に記載の装置。
【請求項８】
前記サーバ手段が、登録されたユーザ局がアタッチされるセル局にのみ前記共通データチャネルを確立するように構築される、請求項６または７に記載の装置。
【請求項９】
前記サーバ手段が、ＭＢＭＳプロトコルによって前記共通データチャネルを確立するように構成される、請求項６から８のいずれか一項に記載の装置。
【請求項１０】
前記サーバ手段が、１つまたは複数の選択されたウェブページを記憶し、選択されたウェブページのウェブサイト上に新しいデータ項目が現れる限り、記憶されたウェブページを新しいデータ項目で更新するように構成される、請求項６から９のいずれか一項に記載の装置。
【国際調査報告】
2015519786.tif 000007
2015519786.tif 000008